(57)【要約】【課題】より容易にハウジング内に挿入させることが可能なコネクタ用端子およびコネクタを得る。【解決手段】コネクタ１は、ハウジング１０と、ハウジング１０に保持されて被実装部材１Ａに実装される端子１３と、を備えている。また、端子１３は、ハウジング１０に形成された空間Ｓ１に挿入される本体部１３０と、本体部１３０に連設されて被実装部材１Ａに実装される実装部１３２と、を備えている。また、本体部１３０は、底壁１３３と、底壁１３３に連設された側壁１３４と、を備えている。また、空間Ｓ１には、側壁１３４の先端部が挿入されて、本体部１３０の空間Ｓ１への挿入をガイドする溝部１１１ｃが形成されている。空間Ｓ１は、ハウジング１０の外方に開口された挿入口Ｓ１ａと、挿入口Ｓ１ａに連通して端子１３の本体部１３０が収容される挿入部本体Ｓ１ｃと、を備えている。そして、この挿入部本体Ｓ１ｃに溝部１１１ｃが形成されている。【選択図】図１０
2019192618.tif 000002
【特許請求の範囲】
【請求項１】
ハウジングと、
前記ハウジングに保持されて被実装部材に実装される端子と、
を備え、
前記端子は、前記ハウジングに形成された空間に挿入される本体部と、前記本体部に連設されて前記被実装部材に実装される実装部と、を備え、
前記本体部は、底壁と、前記底壁に連設された側壁と、を備え、
前記空間には、前記側壁の先端部が挿入されて、前記本体部の前記空間への挿入をガイドする溝部が形成されており、
前記空間は、前記ハウジングの外方に開口された挿入口と、前記挿入口に連通して前記端子の前記本体部が収容される挿入部本体と、を備えており、
前記挿入部本体に前記溝部が形成されていることを特徴とするコネクタ。
【請求項２】
前記溝部は、挿入方向の長さが、前記側壁の先端部の挿入が開始されてから完了するまでの間に前記本体部が移動する距離以上となっていることを特徴とする請求項１に記載のコネクタ。
【請求項３】
前記空間の挿入方向の中央部よりも奥側に前記溝部が存在していることを特徴とする請求項１または請求項２に記載のコネクタ。
【請求項４】
前記挿入口に、前記本体部の前記空間への挿入をガイドする第２溝部が形成されており、
前記第２溝部が前記溝部に連通していることを特徴とする請求項１〜３のうちいずれか１項に記載のコネクタ。
【請求項５】
前記底壁の幅方向の両端部に前記側壁がそれぞれ連設されており、
一方の側壁には、他方の側壁よりも前記本体部の前記空間への挿入方向に突出する延設壁が形成されていることを特徴とする請求項１〜４のうちいずれか１項に記載のコネクタ。
【請求項６】
ハウジングに形成された空間に挿入される本体部と、
前記本体部に連設されて被実装部材に実装される実装部と、
を備え、
前記本体部は、底壁と、前記底壁の幅方向両端部に連設された一対の側壁と、を備えており、
前記一対の側壁のうちの一方の側壁に他方の側壁よりも前記本体部の前記空間への挿入方向に突出する延設壁が形成されていることを特徴とするコネクタ用端子。
【発明の詳細な説明】
【技術分野】
【０００１】
本開示は、コネクタ用端子およびコネクタに関する。
【背景技術】
【０００２】
従来、コネクタとして、ハウジングと、ハウジングに形成された空間内に収容されて相手側コネクタの端子に導通接続する端子と、を備えるものが知られている（例えば、特許文献１参照）。
【先行技術文献】
【特許文献】
【０００３】
【特許文献１】特開２０１６−１１０９９４号公報
【発明の概要】
【発明が解決しようとする課題】
【０００４】
上記の特許文献１には、ハウジングに形成された空間内に端子を挿入することが開示されているが、端子をより容易にハウジングに形成された空間内に挿入させられるようにしたほうが好ましい。
【０００５】
そこで、本開示は、より容易にハウジング内に挿入させることが可能なコネクタ用端子およびコネクタを得ることを目的とする。
【課題を解決するための手段】
【０００６】
本開示にかかるコネクタは、ハウジングと、前記ハウジングに保持されて被実装部材に実装される端子と、を備えている。また、前記端子は、前記ハウジングに形成された空間に挿入される本体部と、前記本体部に連設されて前記被実装部材に実装される実装部と、を備えている。また、前記本体部は、底壁と、前記底壁に連設された側壁と、を備えている。また、前記空間には、前記側壁の先端部が挿入されて、前記本体部の前記空間への挿入をガイドする溝部が形成されている。また、前記空間は、前記ハウジングの外方に開口された挿入口と、前記挿入口に連通して前記端子の前記本体部が収容される挿入部本体と、を備えている。そして、前記挿入部本体に前記溝部が形成されている。
【０００７】
また、本開示にかかるコネクタ用端子は、ハウジングに形成された空間に挿入される本体部と、前記本体部に連設されて被実装部材に実装される実装部と、を備えている。また、前記本体部は、底壁と、前記底壁の幅方向両端部に連設された一対の側壁と、を備えている。そして、前記一対の側壁のうちの一方の側壁に他方の側壁よりも前記本体部の前記空間への挿入方向に突出する延設壁が形成されている。
【発明の効果】
【０００８】
本開示によれば、より容易にハウジング内に挿入させることが可能なコネクタ用端子およびコネクタを得ることができる。
【図面の簡単な説明】
【０００９】
【図１】コネクタセットの一例を示す図であって、ケーブルに実装されたプラグコネクタと被実装部材に実装されたレセプタクルコネクタとに分解して示す斜視図である。
【図２】コネクタセットの一例を示す図であって、ケーブルに実装されたプラグコネクタと被実装部材に実装されたレセプタクルコネクタとを嵌合させた状態を示す斜視図である。
【図３】一例として示したコネクタセットのプラグコネクタ側の端子とレセプタクルコネクタ側の端子を示す図であって、（ａ）は、プラグコネクタ側の端子とレセプタクルコネクタ側の端子とが接触していない状態を示す斜視図、（ｂ）は、プラグコネクタ側の端子とレセプタクルコネクタ側の端子とが接触している状態を示す平面図である。
【図４】一例として示したコネクタセットが備えるプラグコネクタを分解して示す斜視図である。
【図５】一例として示したコネクタセットが備えるプラグコネクタがケーブルに実装された状態を示す平面図である。
【図６】一例として示したコネクタセットが備えるプラグコネクタがケーブルに実装された状態を示す裏面図である。
【図７】プラグコネクタが備えるプラグハウジングを示す図であって、（ａ）は、平面図、（ｂ）は、裏面図である。
【図８】プラグコネクタが備えるプラグハウジングを示す図であって、（ａ）は、正面図、（ｂ）は、背面図、（ｃ）は、側面図、（ｄ）は、側断面図である。
【図９】プラグコネクタが備える端子を示す図であって、（ａ）は、斜視図、（ｂ）は、平面図、（ｃ）は、側面図、（ｄ）は、裏面図、（ｅ）は、正面図、（ｆ）は、背面図である。
【図１０】プラグハウジングに形成された空間を説明する図であって、（ａ）は、空間内に端子が挿入された状態を示す側断面図、（ｂ）は、空間に形成された溝部を示す側断面図である。
【図１１】空間に形成された溝部を拡大して示す斜視図である。
【発明を実施するための形態】
【００１０】
以下、本開示の実施形態について図面を参照しながら詳細に説明する。なお、以下では、ケーブル１Ａに実装されるプラグコネクタ１、回路基板２Ａに実装されるレセプタクルコネクタ２を例示する。
【００１１】
また、以下では、被実装部材に実装した状態において被実装部材の実装面と直交する方向（実装面の法線方向）をコネクタの上下方向（Ｚ方向）として説明する。また、各コネクタのハウジングに収容された端子が並設される方向を幅方向（Ｙ方向）とし、各コネクタのハウジング内への端子の挿入方向を前後方向（Ｘ方向）として説明する。
【００１２】
さらに、被実装部材に実装されたコネクタを実装面の上側に位置させた状態における上方を、上下方向の上方と規定し、コネクタ同士を嵌合させる際に互いに相手側コネクタと対向する側を前後方向の前方と規定する。
【００１３】
［コネクタセットの構成例］
本実施形態にかかるプラグコネクタ（コネクタ）１は、図１〜３に示すコネクタセットＣ１などで用いられるものである。
【００１４】
コネクタセットＣ１は、図１および図２に示すように、上述したプラグコネクタ１が嵌合するレセプタクルコネクタ２を備えている。
【００１５】
本実施形態では、プラグコネクタ１は、ＦＰＣやＦＦＣ等のケーブル（被接続部材）１Ａに実装可能に形成されている。すなわち、プラグコネクタ１が備える端子１３をケーブル１Ａの導体部１５１ｂＡに電気的に接続する（実装する）ことで、プラグコネクタ１がケーブル１Ａに実装されるようになっている。
【００１６】
一方、レセプタクルコネクタ２は、回路基板（被実装部材）２Ａに実装可能に形成されている。すなわち、レセプタクルコネクタ２が備える端子２３を回路基板２Ａの導体部（図示せず）に電気的に接続する（実装する）ことで、レセプタクルコネクタ２が回路基板２Ａに実装されるようになっている。
【００１７】
このように、コネクタセットＣ１は、プラグコネクタ１をレセプタクルコネクタ２に嵌合させて、端子１３と端子２３とを導通接続させることで、ケーブル１Ａと回路基板２Ａとを電気的に接続させるものである（図２および図３参照）。
【００１８】
［ケーブル１Ａの構成例］
次に、プラグコネクタ１が実装されるケーブル１Ａの構成の一例について、主として図５および図６に基づき説明する。
【００１９】
ケーブル１Ａは、表面（前面：一面）１ａＡおよび裏面（後面：他面）１ｂＡを持つシート状（平板状）をしており、表面１ａＡが、プラグコネクタ１が実装される実装面となっている。さらに、ケーブル１Ａは可撓性を有しており、ケーブル１Ａをケーブル厚さ方向に曲げる（湾曲させる）ことができるようになっている。
【００２０】
このケーブル１Ａは、プラグコネクタ１との連結に使用される連結領域１１Ａと、他の回路との配線のために導体層１５ｂＡが延伸する延伸領域１２Ａと、を備えている。
【００２１】
本実施形態では、ケーブル１Ａは、延伸領域１２Ａの一端側に連結領域１１Ａが位置するように形成されている。そして、連結領域１１Ａを連結したプラグコネクタ１をレセプタクルコネクタ（レセプタクルコネクタ２やレセプタクルコネクタ３）に嵌合させた状態において、延伸領域１２Ａがレセプタクルコネクタの反対側に位置するようになっている。
【００２２】
また、ケーブル１Ａは、多層構造をしており、支持層１５ａＡと、支持層１５ａＡに支持される導体層１５ｂＡと、を備えている。支持層１５ａＡは、複数の絶縁体膜からなり、導体層１５ｂＡを被覆するものである。一方、導体層１５ｂＡは、支持層１５ａＡを構成する絶縁体膜上に印刷された導体膜であり、後述する複数の端子１３にそれぞれ対応する複数の配線パターンである。
【００２３】
また、連結領域１１Ａの上面には、支持体１５ａＡから露出された導体層１５ｂＡである複数の導体部１５１ｂＡが形成されている。複数の導体部１５１ｂＡは、幅方向（Ｙ方向）に所定のピッチで並ぶように形成されている。
【００２４】
このような構造は、例えば、支持層１５ａＡ上に複数の導体膜を印刷することで導体層１５ｂＡを形成し、この導体層１５ｂＡ上を他の支持層１５ａＡで覆うことで形成することができる。このとき、導電層１５ｂＡの先端が覆われないように他の支持層１５ａＡを設けるようにすれば、導電層１５ｂＡの先端が一側（上下方向の上方）に露出したケーブル１Ａが形成される。
【００２５】
なお、ケーブル１Ａの形成方法は上記の方法に限られるものではなく、様々な方法で形成することができる。
【００２６】
また、連結領域１１Ａの上面には、プラグコネクタ１の後述する保持金具１５が固定される固定部１５ｃＡが形成されている。本実施形態では、ケーブル１Ａは、幅方向（Ｙ方向）に並設された複数の導体層１５ｂＡよりも幅方向（Ｙ方向）の両側に延設された幅広部１６Ａを備えており、各幅広部１６Ａの先端側（前後方向の前側）に一対の固定部１５ｃＡが形成されている。また、各幅広部１６Ａの前後方向の後側には、プラグコネクタ１のハウジング１０が固定される固定部１５ｄＡが形成されている。この固定部１５ｃＡや固定部１５ｄＡは、例えば、導体層１５ｂＡの印刷工程において導体層１５ｂＡと同様に形成することができる。
【００２７】
また、本実施形態では、ケーブル１Ａの連結領域１１Ａには、前後方向（Ｘ方向）に細長く、前方に開口するスリット１１ａＡが形成されている。そして、連結領域１１Ａにおけるスリット１１ａＡの幅方向（Ｙ方向）の両側および前後方向の後方には、ケーブル厚さ方向（上下方向；Ｚ方向）に貫通する貫通孔１１ｂＡが形成されている。
【００２８】
さらに、本実施形態では、ケーブル１Ａが補強板１４Ａを備えている（図１および図２参照）。この補強板１４Ａは、ガラスエポキシ樹脂やステンレス等を用いて形成されており、ケーブル１Ａの連結領域１１Ａをプラグコネクタ１との間に挟み込むことにより、ケーブル１Ａの連結領域１１Ａを補強するものである。
【００２９】
本実施形態では、補強板１４Ａは、ケーブル１Ａの連結領域１１Ａの形状に対応した形状をしている。すなわち、補強板１４Ａは、平面視（実装面１Ａａに沿って視た状態）における輪郭形状が、連結領域１１Ａの輪郭形状と略同一の形状をしている。したがって、補強板１４Ａには、前後方向（Ｘ方向）に細長く、前方に開口するスリット１４ａＡと、ケーブル厚さ方向（上下方向；Ｚ方向）に貫通する貫通孔１４ｂＡと、が形成されている。そして、補強板１４Ａは、スリット１１ａＡとスリット１４ａＡとを連通させるとともに、貫通孔１１ｂＡと貫通孔１４ｂＡとを連通させた状態で、接着剤等により連結領域１１Ａの裏面側に取り付けられている。
【００３０】
このとき、平面視（実装面１Ａａに沿って視た状態）で、導体部１５１ｂＡの全体が補強板１４Ａと重なり合うようにするのが好ましい。こうすれば、導体部１５１ｂＡの全体が補強板１４Ａにより支持されるため、導体部１５１ｂＡが上下方向（Ｚ方向）に折れ曲がったり、幅方向（Ｙ方向）に撓んだりしてしまうのを抑制することができる。
【００３１】
［プラグコネクタ１の構成例］
次に、プラグコネクタ１の構成の一例について、図４および図７〜図１１に基づき説明する。
【００３２】
プラグコネクタ１は、図４に示すように、プラグハウジング（ハウジング）１０と、プラグハウジング１０に保持されるプラグ端子（端子：コネクタ用端子）１３と、プラグハウジング１０に保持される保持金具１５と、を備えている。
【００３３】
そして、プラグハウジング１０に保持されたプラグ端子１３が、プラグハウジング１０の外側に配置されたケーブル１Ａの導体部１５１ｂＡに実装されることで、プラグコネクタ１が被実装部材としてのケーブル１Ａに実装されるようになっている。なお、プラグ端子１３は、半田付け等により導体部１５１ｂＡに実装されている。また、保持金具１５は、プラグハウジング１０に保持された状態で、半田付け等によりケーブル１Ａの固定部１５ｃＡに固定されることで、プラグハウジング１０をケーブル１Ａに固定するためのものである。
【００３４】
プラグハウジング１０は、剛性を有するハウジング本体１１を備えており、このプラグハウジング１０は、例えば、絶縁性の樹脂材料を用いて形成することができる。
【００３５】
また、プラグハウジング１０は、プラグハウジング１０とレセプタクルコネクタ２のレセプタクルハウジング２０とを嵌合状態で保持したり、嵌合状態を解除したりするロック部１２を備えている。
【００３６】
ハウジング本体１１は、天壁１１１と、底壁１１２と、天壁１１１および底壁１１２の幅方向（Ｙ方向）の両端をそれぞれ連設する一対の側壁１１３と、天壁１１１、底壁１１２および側壁１１３，１１３の前端に連設された前壁１１４と、を備えている。
【００３７】
そして、天壁１１１の幅方向中央部にロック部１２が形成されている。具体的には、ロック部１２は、図８（ｄ）に示すように、底壁１１２の前端の幅方向中央部に連設されて後方に延在するレバー部１２１を備えている。このレバー部１２１は、後側がハウジング本体１１に対して上下方向に相対移動できるようになっている。そして、レバー部１２１の後端には、レバー部１２１を操作する操作部１２１ａが形成されており、レバー部１２１の前後方向の中央部には、レセプタクルコネクタ２に形成された被係合部（図示せず）に係合する係合突部１２１ｂが形成されている。
【００３８】
本実施形態では、プラグハウジング１０とレセプタクルコネクタ２のレセプタクルハウジング２０とを嵌合させた際に、係合突部１２１ｂが被係合部に係合して、各コネクタのハウジング同士をロック（嵌合状態で維持）できるようにしている。そして、レバー部１２１の操作部１２１ａを押し下げて、レバー部１２１を下方に移動させることで、係合突部１２１ｂも下方に移動し、被係合部との係合が解除されて、各コネクタのハウジング同士の嵌合を解除できるようにしている。
【００３９】
さらに、ロック部１２と天壁１１１との間には隙間が形成されており、この隙間が、プラグハウジング１０とレセプタクルコネクタ２のレセプタクルハウジング２０との嵌合をガイドするガイド溝１１１ａとなっている。なお、天壁１１１には、プラグハウジング１０とレセプタクルコネクタ２のレセプタクルハウジング２０との嵌合をガイドするガイド溝１１１ｂも形成されている。
【００４０】
また、底壁１１２の下側（裏面側）の前端には、幅方向に延在する突部１１２ａと、突部１１２ａの幅方向中央部から前後方向の後方に向けて延在する突部１１２ｂとが下方に向けて突出するように形成されている。この突部１１２ａおよび突部１１２ｂは、突出量が、ケーブル１Ａの厚さと補強板１４Ａの厚さの和以上となるように底壁１１２に形成されている。
【００４１】
このような突部１１２ａ，１１２ｂを底壁１１２に形成することで、底壁１１２の下面に凹部１１２ｃが形成されるようにしている。そして、プラグコネクタ１をケーブル１Ａに実装させた際に、補強板１４Ａが取り付けられた連結領域１１Ａがこの凹部１１２ｃに収容されるようにしている（６参照）。
【００４２】
このように、本実施形態では、プラグハウジング１０は、ハウジング厚み方向（上下方向：Ｚ方向）に対向する一対の壁部（天壁１１１および底壁１１２）を備えている。そして、一対の壁部（天壁１１１および底壁１１２）のうちの一方側の壁部である底壁１１２に、ケーブル１Ａの連結領域１１Ａが収容される凹部１１２ｃが形成されている。すなわち、プラグハウジング１０は、ケーブル（被実装部材）１Ａを受け入れる受入部（凹部１１２ｂ）を、ハウジング厚み方向（上下方向）の一方側の壁部（底壁１１２ｂ）に有している。
【００４３】
なお、突部１１２ｂは、スリット１１ａＡおよびスリット１４ａＡに対応するように形成されており、突部１１２ｂを、スリット１１ａＡおよびスリット１４ａＡに挿入することで、ケーブル１Ａの幅方向の位置ずれが抑制されるようにしている。また、突部１１２ａによって、ケーブル１Ａの前方への位置ずれが抑制されるようにしている。
【００４４】
また、ハウジング本体１１は、天壁１１１、底壁１１２および前壁１１４に連設された隔壁１１６を複数備えており、この隔壁１１６によって、プラグハウジング１０内に形成される空間が複数の空間に仕切られている。そして、前壁１１４には、天壁１１１、底壁１１２および隔壁１１６により仕切られた複数の空間と連通するように貫通孔１４ａが形成されている。このように、本実施形態では、ハウジング本体１１には、前後方向に貫通する複数の空間Ｓ１が形成されている。そして、前後方向に貫通する空間Ｓ１内に、プラグ端子１３がそれぞれ圧入（挿入）されるようになっている。
【００４５】
本実施形態では、プラグ端子１３は、空間Ｓ１の後端側の開口から前方に向けて圧入（挿入）されるようになっており、この空間Ｓ１の後端側の開口が挿入口Ｓ１ａとなっている。また、空間Ｓ１の前端側の開口は、プラグ端子１３が抜け落ちないように、挿入口Ｓ１ａよりも小さくなっている。すなわち、挿入口Ｓ１ａから圧入（挿入）されたプラグ端子１３の前方への移動が、前壁１１４によって規制されるようにしている。なお、空間Ｓ１の前端側の開口は、後述するレセプタクルコネクタ２のレセプタクル端子２３の接点部２３０ａを空間Ｓ１内に導入する導入口Ｓ１ｂとなっている。この導入口Ｓ１ｂの周縁部は、レセプタクル端子の接点部が導入されやすいようにテーパ状に形成されている。
【００４６】
そして、挿入口Ｓ１ａと導入口Ｓ１ｂとの間が挿入部本体Ｓ１ｃとなっており、この挿入部本体Ｓ１ｃに端子１３の本体部１３０が収容されている。このように、本実施形態では、空間Ｓ１は、プラグハウジング１０の外方（後方）に開口された挿入口Ｓ１ａと、挿入口Ｓ１ａに連通して端子１３の本体部１３０が収容される挿入部本体Ｓ１ｃと、を備えている。
【００４７】
さらに、本実施形態では、天壁１１１の下部に、後方および下方に開口する溝部１１１ｃが空間Ｓ１に連通するように形成されている。この溝部１１１ｃは、後述するプラグ端子１３の側壁１３４の上端（先端部）が挿入されて、プラグ端子１３の空間Ｓ１への圧入（挿入）をガイドするものである。
【００４８】
この溝部１１１ｃは、空間Ｓ１の挿入部本体Ｓ１ｃに形成されている。さらに、挿入口Ｓ１ａにも、プラグ端子１３の空間Ｓ１への圧入（挿入）をガイドする第２溝部１１１ｄが形成されている。
【００４９】
本実施形態では、図１１に示すように、溝部１１１ｃは、空間Ｓ１の幅方向両側に形成されており、各溝部１１１ｃが、挿入口Ｓ１ａから前壁１１４まで延在するように形成されている（図１０（ｂ）参照）。すなわち、第２溝部１１１ｄが溝部１１１ｃに連通するとこととなる。そして、溝部１１１ｃは、空間Ｓ１の挿入方向（Ｘ方向）の中央部よりも奥側（前側）に存在することとなる。そして、溝部１１１ｃは、挿入方向（Ｘ方向）の長さが、側壁１３４の上端の溝部１１１ｃへの挿入が開始されてから完了するまでの間にプラグ端子１３が移動する距離Ｄ１以上となっている（図１０（ａ）参照）。
【００５０】
したがって、側壁１３４の上端における最初に溝部１１１ｃに挿入される部位は、溝部１１１ｃへの挿入が開始されてからプラグ端子１３の空間Ｓ１への圧入（挿入）が完了するまでの間、溝部１１１ｃ内に存在することとなる。
【００５１】
なお、溝部１１１ｃは、溝幅（Ｙ方向の長さ）が側壁１３４の板厚よりも若干広くなるように形成されている。
【００５２】
また、底壁１１２の後端部には、下方および後方に開口して前後方向に延在する凹部１１２ｆが形成されている。この凹部１１２ｆを設けることで、圧入（挿入）完了状態におけるプラグ端子１３の実装片（実装部）１３２がプラグハウジング１０と干渉してしまうのを抑制できるようにしている。こうすることで、プラグ端子１３の空間Ｓ１への圧入（挿入）を完了させた状態において、実装片（実装部）１３２がプラグハウジング１０から外方に突出し過ぎないようにしている。
【００５３】
また、一対の側壁１１３，１１３には、後方に延在する延設部１１３ａ，１１３ａがそれぞれ形成されており、延設部１１３ａ，１１３ａが対向する領域が、プラグ端子１３の実装片（実装部）１３２が収容される凹部１１３ｂとなっている。
【００５４】
このように、本実施形態では、延設部１１３ａ，１１３ａの後端よりも前側で、プラグ端子１３の実装片（実装部）１３２がケーブル１Ａの導体部１５１ｂＡに実装されるようにしている。さらに、本実施形態では、この延設部１１３ａ，１１３ａの先端部（後端部）がケーブル１Ａの固定部１５ｄＡに固定されるようにしている。このとき、延設部１１３ａ，１１３ａと補強板１４Ａとでケーブル１Ａの連結領域１１Ａが挟持されるようにしている。
【００５５】
こうすれば、ケーブル１Ａがあおられて補強板１４Ａから離れる方向に移動した際に、ケーブル１Ａと補強板１４Ａとの接着が剥がれてしまうのをより確実に抑制することができる。さらに、延設部１１３ａ，１１３ａの先端（後端）よりも前側にプラグ端子１３の実装片（実装部）１３２が位置するようにしているため、ケーブル１Ａのあおりによってプラグ端子１３の実装片１３２が変形してしまうのを抑制することができる。すなわち、プラグ端子１３とケーブル１Ａとの実装部分をケーブル１Ａのあおりから保護することができる。
【００５６】
また、一対の側壁１１３，１１３の前端部には、保持金具１５が保持される保持金具取付部１１３ｃ，１１３ｃがそれぞれ形成されている。
【００５７】
本実施形態では、保持金具取付部１１３ｃは、上下方向および幅方向の外方に開口する凹部１１３ｄと、凹部１１３ｄの幅方向内側に連設されて、保持金具１５の本体部１５１の前後方向の両端が挿入されるスリット１１３ｅ，１１３ｅと、備えている。そして、保持金具１５をプラグハウジング１０に保持した状態で、本体部１５１の下端に連設された固定部１５２をケーブル１Ａの固定部１５ｃＡに固定することで、プラグハウジング１０をケーブル１Ａに固定させている。
【００５８】
プラグ端子１３は、導電性を有しており、プラグハウジング１０の幅方向（Ｙ方向）に複数並設されている。このプラグ端子１３は、図９に示すように、１枚の帯板状の金属部材を板厚方向に曲げた形状をしており、挿入方向（前後方向；Ｘ方向）に沿って視た状態で略Ｕ字状をしている（図９（ｅ），（ｆ）参照）。このようなプラグ端子１３は、例えば、帯板状の金属部材に曲げ加工を施すことで形成することができる。
【００５９】
また、プラグ端子１３は、空間Ｓ１に圧入（挿入）される本体部１３０を備えている。さらに、プラグ端子１３は、本体部１３０から実装面１ａＡに向けて延設された脚部１３１と、脚部１３１に連設されてケーブル１Ａに実装される実装片（実装部）１３２と、を備えている。
【００６０】
本体部１３０は、底壁１３３と、底壁１３３の幅方向（Ｙ方向）両端部に連設された側壁１３４と、を備えている。
【００６１】
底壁１３３は、側壁１３４の下端が連設された底壁本体１３５と、底壁本体１３５の前端に連設されて前方に突出する接点保護部１３６と、を備えている。この接点保護部１３６は、本体部１３０を空間Ｓ１に圧入（挿入）する際に、プラグ端子１３の接点部１３０ａがハウジング本体１１に接触してしまうのを抑制するものである。
【００６２】
また、底壁本体１３５および接点保護部１３６には、幅方向（Ｙ方向）両端から外方に向けて突出する規制片１３５ａ，１３６ａがそれぞれ形成されている。そして、この規制片１３５ａ，１３６ａによって、本体部１３０を空間Ｓ１に圧入（挿入）する際に、本体部１３０が斜めに圧入（挿入）されてしまうのが抑制されるようにしている。
【００６３】
そして、脚部１３１が、底壁本体１３５の後端部から下方（ケーブル１Ａ：被実装部材）に向けて延設されており、脚部１３１の下端には実装片１３２が後方に向けて突出するように連設されている。このように、本実施形態では、脚部１３１は、空間Ｓ１に圧入（挿入）させた状態の本体部１３０からハウジング厚み方向に延設されている。この脚部１３１および実装片１３２は、薄板状（板状）に形成されている。
【００６４】
側壁１３４は、下端が底壁本体１３５に連設された側壁本体１３７と、側壁本体１３７の前端に弾性変形可能に連設され、レセプタクルコネクタ２の接点部２３０ａに接触する接触片１３８と、を備えている。
【００６５】
側壁本体１３７の上端には、規制突起１３７ａが形成されており、この規制突起１３７ａによって、本体部１３０を空間Ｓ１に圧入（挿入）する際に、本体部１３０が浮き上がってしまうのが抑制されるようにしている。
【００６６】
また、接触片１３８は、幅方向内側に屈曲するように側壁本体１３７の前端に連設された内側屈曲片１３８ａと、幅方向内側に屈曲するように内側屈曲片１３８ａの前端に連設された外側屈曲片１３８ｂと、を備えている。
【００６７】
本実施形態では、この接触片１３８は、一対の側壁本体１３７，１３７のそれぞれに連設されており、平面視で略線対称となるように形成されている。すなわち、一対の接触片１３８，１３８は、前方に向かうにつれて互いに近づく方向に屈曲した形状の内側屈曲片１３８ａ，１３８ａと、前方に向かうにつれて互いに離れる方向に屈曲した形状の外側屈曲片１３８ｂ，１３８ｂと、を備えている。
【００６８】
そして、一対の接触片１３８，１３８が最も近づいた部位（内側屈曲片１３８ａと外側屈曲片１３８ｂとの連設部）で、レセプタクルコネクタ２の接点部２３０ａを挟持するようにしている（図３（ｂ）参照）。このように、本実施形態では、一対の接触片１３８，１３８を、プラグ端子１３の接点部１３０ａとして機能させている。そして、一対の外側屈曲片１３８ｂを、レセプタクルコネクタ２の接点部２３０ａをよりスムーズに導入するためのガイド部として機能させている。
【００６９】
さらに、本実施形態では、一対の側壁本体１３７，１３７のうちの一方の側壁本体１３７の後端に、後方に突出する延設壁１３９が連設されており、本体部１３０は、片側が後方に突出した形状をしている。
【００７０】
この延設壁１３９の上端には、圧入突起１３９ａが形成されており、この圧入突起１３９ａをハウジング本体１１に食い込ませることで、本体部１３０が空間Ｓ１に圧入されている。
【００７１】
ここで、本実施形態では、プラグ端子１３の側壁１３４の上端が挿入されて、プラグ端子１３の空間Ｓ１への圧入（挿入）をガイドする溝部１１１ｃが形成されている。そのため、本体部１３０の後方に突出した片側の側壁１３４を押圧することで、プラグ端子１３を空間Ｓ１へ圧入（挿入）させる場合であっても、プラグ端子１３の位置ずれが抑制される。その結果、プラグ端子１３を、よりスムーズ且つより正確に空間Ｓ１へと圧入（挿入）させることができる。
【００７２】
なお、本実施形態では、プラグ端子１３を空間Ｓ１内に圧入（挿入）する際には、側壁１３４の一部を構成する側壁本体１３７の上端が溝部１１１ｃ内に挿入されるようになっている。したがって、本実施形態では、側壁本体１３７の上端の前端縁が、側壁１３４の上端における最初に溝部１１１ｃに挿入される部位となっている。
【００７３】
［レセプタクルコネクタ２の構成例］
次に、レセプタクルコネクタ２の構成の一例を、図１および図２に基づき説明する。
【００７４】
レセプタクルコネクタ２は、図１，２に示すように、レセプタクルハウジング（ハウジング）２０と、レセプタクルハウジング２０に保持されるレセプタクル端子（端子）２３と、を備えている。また、レセプタクルコネクタ２は、レセプタクルハウジング２０に保持される保持金具２５を備えている。
【００７５】
そして、レセプタクルハウジング２０に保持されたレセプタクル端子２３が、レセプタクルハウジング２０の外側に配置された回路基板２Ａの導体部（図示せず）に実装されることで、レセプタクルコネクタ２が被実装部材としての回路基板２Ａに実装されるようになっている。なお、レセプタクル端子２３も、半田付け等により導体部に実装されている。また、保持金具２５は、レセプタクルハウジング２０に保持された状態で、半田付け等により回路基板２Ａの固定部２ｃＡに固定されることで、レセプタクルハウジング２０を回路基板２Ａに固定するためのものである。
【００７６】
レセプタクルハウジング２０は、剛性を有するハウジング本体２１を備えており、このレセプタクルハウジング２０は、例えば、絶縁性の樹脂材料を用いて形成することができる。
【００７７】
ハウジング本体２１は、天壁２１１と、底壁２１２と、天壁２１１および底壁２１２の幅方向（Ｙ方向）の両端をそれぞれ連設する一対の側壁２１３と、天壁２１１、底壁２１２および側壁２１３，２１３の後端に連設された後壁２１４と、を備えている。
【００７８】
そして、天壁２１１の幅方向中央部にレバー部１２１が収容されている。この天壁２１１には、ロック部１２の係合突部１２１ｂが係合する被係合部（図示せず）が形成されている。また、天壁２１１には、ガイド溝１１１ａが挿入されるガイド突部２１１ａおよびガイド溝１１１ｂが挿入されるガイド突部２１１ｂ形成されている。
【００７９】
なお、後壁には、前後方向に貫通する空間が複数形成されており、この空間内に、レセプタクル端子２３がそれぞれ圧入（挿入）されている。
【００８０】
また、ハウジング本体２１には、前方（プラグコネクタ１側）に開口する嵌合空間Ｓ２が形成されている。この嵌合空間Ｓ２は、プラグハウジング１０のハウジング本体１１が挿入嵌合される空間で、天壁２１１、底壁２１２、一対の側壁２１３，２１３および後壁２１４によって画成されている。
【００８１】
また、一対の側壁２１３，２１３には、保持金具２５が保持される保持金具取付部２１３ａ，２１３ａがそれぞれ形成されている。そして、保持金具２５をレセプタクルハウジング２０に保持した状態で、本体部２５１の下端に連設された固定片２５２を回路基板２Ａの固定部２ｃＡに固定することで、レセプタクルハウジング２０を回路基板２Ａに固定させている。
【００８２】
また、本実施形態では、レセプタクル端子２３は、導電性を有しており、レセプタクルハウジング２０の幅方向（Ｙ方向）に複数並設されている。このレセプタクル端子２３は、図３に示すように、薄板状に形成されており、板厚方向を幅方向（Ｙ方向）に略一致させた状態でハウジング２０に後方から圧入（挿入）されている。このレセプタクル端子２３は、例えば、薄板金属を打抜き加工することで形成することができる。
【００８３】
また、レセプタクル端子２３は、後壁２１４に圧入（挿入）される本体部２３０を備えている。さらに、レセプタクル端子２３は、本体部２３０から回路基板２Ａに向けて延設された脚部２３１と、脚部２３１に連設されて回路基板２Ａに実装される実装片（実装部）２３２と、を備えている。
【００８４】
そして、本体部２３０の前端には、略棒状の接点部２３０ａが前方に突出するように形成されている。そして、本体部２３０を後壁２１４に圧入（挿入）した状態で、接点部２３０ａが嵌合空間Ｓ２内に配置されるようにしている。
【００８５】
このような構成をしたレセプタクルコネクタ２に上述のプラグコネクタ１を嵌合させると、プラグハウジング１０のロック部１２がレセプタクルハウジング２０に挿入され、ハウジング本体１１が嵌合空間Ｓ２に挿入されることとなる。
【００８６】
このとき、レバー部１２１の係合突部１２１ｂがレセプタクルハウジング２０の天壁２１１により下方に押圧されることになる。このように、係合突部１２１ｂが天壁２１１により下方に押圧されると、レバー部１２１の後端部（操作部１２１ａ）が下方に移動するように弾性変形して、係合突部１２１ｂが嵌合空間Ｓ２の奥側に移動できるようになる。
【００８７】
そして、係合突部１２１ｂを嵌合空間Ｓ２の奥側に移動させると、天壁２１１による係合突部１２１ｂの下方への押圧が解除されて、レバー部１２１の弾性復元力により係合突部１２１ｂが上方に移動する。そして、係合突部１２１ｂが上方に移動することで、レセプタクルコネクタ２に形成された被係合部に係合して、プラグコネクタ１とレセプタクルコネクタ２とが嵌合状態でロックされることになる。
【００８８】
また、プラグコネクタ１をレセプタクルコネクタ２に嵌合させる途中で、レセプタクル端子２３の接点部２３０ａの先端が導入口Ｓ１ｂからプラグハウジング１０に形成された空間Ｓ１内に導入されて、プラグ端子１３の接点部１３０ａに接触する。なお、本実施形態では、略棒状の接点部２３０ａが一対の接触片１３８，１３８の間に挿入され、一対の接触片１３８，１３８によって挟持されることで、プラグ端子１３とレセプタクル端子２３とを導通接続させている。
【００８９】
このように、プラグコネクタ１をレセプタクルコネクタ２に嵌合させて、プラグ端子１３とレセプタクル端子２３とを導通接続させることで、ケーブル１Ａと回路基板２Ａとを電気的に接続させるコネクタセットＣ１が形成される。
【００９０】
一方、プラグコネクタ１をレセプタクルコネクタ２から取り外す際には、まず、レバー部１２１の操作部１２１ａを押し下げて、レバー部１２１を下方に移動させる。こうすることで、係合突部１２１ｂも下方に移動し、係合突部１２１ｂと被係合部との係合が解除される。そして、係合突部１２１ｂと被係合部との係合を解除した状態で、プラグコネクタ１をレセプタクルコネクタ２に対して抜去方向に引っ張ると、プラグコネクタ１がレセプタクルコネクタ２に対して抜去方向に相対移動することとなる。このように、プラグコネクタ１をレセプタクルコネクタ２に対して抜去方向に相対移動させると、まず、端子同士の導通接続が解除され、その後に、ハウジング同士の嵌合が解除されることとなる。こうして、プラグコネクタ１がレセプタクルコネクタ２から取り外されることになる。
【００９１】
以上説明したように、本実施形態にかかるプラグコネクタ（コネクタ）１は、プラグハウジング（ハウジング）１０と、プラグハウジング１０に保持されてケーブル（被実装部材）１Ａに実装されるプラグ端子（端子）１３と、を備えている。
【００９２】
また、プラグ端子１３は、プラグハウジング１０に形成された空間Ｓ１に挿入される本体部１３０と、本体部１３０に連設されてケーブル１Ａに実装される実装片（実装部）１３２と、を備えている。また、本体部１３０は、底壁１３３と、底壁１３３に連設された側壁１３４と、を備えている。
【００９３】
また、空間Ｓ１には、側壁１３４の先端部が挿入されて、本体部１３０の空間Ｓ１への挿入をガイドする溝部１１１ｃが形成されている。また、空間Ｓ１は、プラグハウジング１０の外方に開口された挿入口Ｓ１ａと、挿入口Ｓ１ａに連通して端子１３の本体部１３０が収容される挿入部本体Ｓ１ｃと、を備えている。そして、挿入部本体ｓ１ｃに溝部１１１ｃが形成されている。
【００９４】
こうすることで、挿入口Ｓ１ａよりも挿入方向の奥側（前側）で本体部１３０の空間Ｓ１への挿入をガイドすることができる。
【００９５】
また、この溝部１１１ｃは、挿入方向（Ｘ方向）の長さが、側壁１３４の先端部の挿入が開始されてから完了するまでの間に本体部１３０が移動する距離Ｄ１以上となっている。
【００９６】
こうすれば、プラグ端子１３を空間Ｓ１へ圧入（挿入）させる際に、プラグ端子１３が位置ずれしてしまうことを抑制することができる。
【００９７】
また、空間Ｓ１の挿入方向の中央部よりも奥側に溝部１１１ｃが存在している。そのため、本体部１３０を挿入完了位置の近くまでガイドすることができる。
【００９８】
また、挿入口Ｓ１ａに、本体部１３０の空間Ｓ１への挿入をガイドする第２溝部１１１ｄが形成されており、第２溝部１１１ｄが溝部１１１ｃに連通している。こうすれば、本体部１３０を挿入開始から挿入完了位置の近くまでガイドすることができる。
【００９９】
このように、本実施形態によれば、プラグ端子１３を、よりスムーズ且つより正確に空間Ｓ１内の圧入（挿入）完了位置まで圧入（挿入）させることができる。
【０１００】
また、本実施形態では、底壁１１１ｃの幅方向（Ｙ方向）の両端部に側壁１１４がそれぞれ連設されており、一方の側壁１１４には、他方の側壁１１４よりも本体部１３０の空間Ｓ１への挿入方向（Ｘ方向）の後方に突出する延設壁１３９が形成されている。
【０１０１】
このように、片側の側壁１１４の長さが長いプラグ端子１３を空間Ｓ１へ圧入（挿入）させる場合、一般的に、本体部１３０の後方に突出した片側の側壁１３４を押圧することになる。このようなプラグ端子１３を用いた場合、空間Ｓ１へ圧入（挿入）させる際に位置ずれが生じやすくなる。
【０１０２】
しかしながら、本体部１３０の空間Ｓ１への挿入をガイドする溝部１１１ｃを空間Ｓ１に形成すれば、片側の側壁１１４の長さが長いプラグ端子１３を用いた場合であっても、プラグ端子１３を、よりスムーズ且つより正確に空間Ｓ１へと圧入（挿入）させることができる。
【０１０３】
このように、本実施形態によれば、本体部１３０の後方に突出した片側の側壁１３４を押圧することで、であっても、プラグ端子１３の位置ずれが抑制される。その結果、プラグ端子１３を、よりスムーズ且つより正確に空間Ｓ１へと圧入（挿入）させることができる。
【０１０４】
また、本実施形態にかかるプラグ端子（コネクタ用端子）１３は、プラグハウジング（ハウジング）１０に形成された空間Ｓ１に挿入される本体部１３０と、本体部１３０に連設されてケーブル（被実装部材）１Ａに実装される実装片（実装部）１３２と、を備えている。
【０１０５】
また、本体部１３０は、底壁１３３と、底壁１３３の幅方向両端部に連設された一対の側壁１３４，１３４と、を備えている。
【０１０６】
そして、一対の側壁１３４，１３４のうちの一方の側壁１３４に他方の側壁１３４よりも本体部１３０の空間Ｓ１への挿入方向（Ｘ方向）に突出する延設壁１３９が形成されている。
【０１０７】
このように、長さが異なる側壁１１４を有するプラグ端子（コネクタ用端子）１３をプラグハウジング（ハウジング）１０に形成された空間Ｓ１に挿入するようにすれば、少なくとも長さが短い側壁１３４を有する側において、空間Ｓ１に挿入する際にプラグ端子１３に生じる摩擦力を低減させることができる。そのため、プラグ端子１３を、より容易に空間Ｓ１へと圧入（挿入）させることができるようになる。
【０１０８】
以上、本開示の好適な実施形態について説明したが、本開示は上記実施形態およびその変形例には限定されず、種々の変形が可能である。
【０１０９】
例えば、上記実施形態では、複数の端子が１段のみに配置されたものを例示したが、複数の端子が複数段に配置されたコネクタとすることが可能である。
【０１１０】
また、同一の段に配置される端子の形状を同一の形状としたコネクタを例示したが、同一の段に複数種類の端子が配置されたコネクタとすることも可能である。
【０１１１】
また、上記実施形態では、プラグコネクタに本開示を適用したものを例示したが、レセプタクルコネクタに本開示を適用することも可能である。また、基板同士やケーブル同士を電気的に接続するコネクタ（プラグコネクタやレセプタクルコネクタ）に本開示を適用してもよい。さらに、電線と基板とを電気的に接続するコネクタ（プラグコネクタやレセプタクルコネクタ）や電線とケーブルとを電気的に接続するコネクタ（プラグコネクタやレセプタクルコネクタ）に本開示を適用してもよい。
【０１１２】
また、ハウジングや端子、その他細部のスペック（形状、大きさ、レイアウト等）も適宜に変更可能である。
【符号の説明】
【０１１３】
１  プラグコネクタ（コネクタ）
１０  プラグハウジング（ハウジング）
１１１ｃ  溝部
１１１ｄ  第２溝部
１３  プラグ端子（端子：コネクタ用端子）
１３０  本体部
１３２  実装片（実装部）
１３３  底壁
１３４  側壁
１３９  延設壁
Ｓ１  空間
Ｓ１ａ  挿入口
Ｓ１ｃ  挿入部本体
１Ａ  ケーブル（被実装部材）
【図１】
2019192618.tif 000003
【図２】
2019192618.tif 000004
【図３】
2019192618.tif 000005
【図４】
2019192618.tif 000006
【図５】
2019192618.tif 000007
【図６】
2019192618.tif 000008
【図７】
2019192618.tif 000009
【図８】
2019192618.tif 000010
【図９】
2019192618.tif 000011
【図１０】
2019192618.tif 000012
【図１１】
2019192618.tif 000013